(57)【要約】【課題】医療機器等に記憶される問い合わせ先情報を迅速且つ簡易に更新等することができる問い合わせ先情報管理システム及び問い合わせ先情報管理方法を提供すること。【解決手段】医療機器に関する問い合わせ先情報を記憶する問い合わせ先情報管理装置６５と、問い合わせ先情報管理装置から問い合わせ先情報を取得し、医療機器又は医療機器を管理する医療機器管理装置１０に、当該問い合わせ先情報を提供する移動通信手段４０と、を有し、医療機器又は医療機器管理装置は、移動通信手段の問い合わせ先情報を自己の問い合わせ先情報として管理するか否かを判断する問い合わせ先情報判断手段１７，２０を有する問い合わせ先情報管理システム１。【選択図】図１
2011221963.tif 000002
【特許請求の範囲】
【請求項１】
医療機器に関する問い合わせ先情報を記憶する問い合わせ先情報管理装置と、
前記問い合わせ先情報管理装置から前記問い合わせ先情報を取得し、前記医療機器又は前記医療機器を管理する医療機器管理装置に、当該問い合わせ先情報を提供する移動通信手段と、を有し、
前記医療機器又は前記医療機器管理装置は、前記移動通信手段の前記問い合わせ先情報を自己の前記問い合わせ先情報として管理するか否かを判断する問い合わせ先情報判断手段を有することを特徴とする問い合わせ先情報管理システム。
【請求項２】
前記問い合わせ先情報は、前記医療機器又は前記医療機器管理装置の識別情報及び更新時期情報を有し、
前記問い合わせ先情報判断手段は、前記移動通信手段の前記問い合わせ先情報の前記識別情報により、前記問い合わせ先情報が、当該前記医療機器又は前記医療機器管理装置の情報であるか否かを判断すると共に、前記更新時期情報に基づき、当該前記問い合わせ先情報が最新の自己の前記問い合わせ先情報であるか否かを判断することを特徴とする請求項１に記載の問い合わせ先情報管理システム。
【請求項３】
前記問い合わせ先情報は、問い合わせ先の電話番号情報及びメールアドレス情報を有し、これらの情報が、前記医療機器又は前記医療機器管理装置の表示部に表示されたときに、リンクが形成される構成となっていることを特徴とする請求項１又は請求項２に記載の問い合わせ先情報管理システム。
【請求項４】
前記移動通信手段が、非接触ＩＣカードでなることを特徴とする請求項１乃至請求項３のいずれかに記載の問い合わせ先情報管理システム。
【請求項５】
前記表示部は、タッチパネルであり、表示画面のいずれの箇所に押下されても、前記問い合わせ先情報を表示するヘルプ画面を最優先で表示するように制御されることを特徴とする請求項３に記載の問い合わせ先情報管理システム。
【請求項６】
医療機器に関する問い合わせ先情報を記憶する問い合わせ先情報管理装置と、前記問い合わせ先情報管理装置から前記問い合わせ先情報を取得し、前記医療機器又は前記医療機器を管理する医療機器管理装置に、当該問い合わせ先情報を提供する移動通信手段と、を有し、
前記医療機器又は前記医療機器管理装置の問い合わせ先情報判断手段が、前記移動通信手段の前記問い合わせ先情報を自己の前記問い合わせ先情報として管理するか否かを判断する構成となっていることを特徴とする問い合わせ先情報管理方法。
【発明の詳細な説明】
【技術分野】
【０００１】
本発明は、例えば、医療機器等又はその管理装置内等に記憶される当該医療機器に関する問い合わせを行う問い合わせ先情報を管理するための問い合わせ先情報管理システム及び問い合わせ先情報管理方法に関するものである。
【背景技術】
【０００２】
従来より、例えば、病院等の医療機関では、人工心肺等の医療機器を管理するためのシステムが採用されている（例えば、特許文献１）。
このような管理システムでは、コンピュータ等の管理装置が各医療機器のデータ等を管理するだけでなく、医療機器に不具合等が発生した場合の緊急連絡先等の問い合わせ先の情報も管理しており、医療機器会社等に連絡ができるようになっている。
【先行技術文献】
【特許文献】
【０００３】
【特許文献１】特開平１１−１５４１９５号公報
【発明の概要】
【発明が解決しようとする課題】
【０００４】
しかし、このように管理装置に記憶された問い合わせ先情報は一旦、記憶されると、その後、問い合わせ先が変更等になっても直ぐに更新するのは難しく、更新する場合でもその更新処理に時間がかかるという問題があった。また、トラブル対応ができない場合に、直ぐに問合せ先とその担当者が分からないという問題があった。
【０００５】
そこで、本発明は、医療機器又はその管理装置等に記憶される問い合わせ先情報を迅速且つ簡易に更新等することができる問い合わせ先情報管理システム及び問い合わせ先情報管理方法を提供することを目的とする。
【課題を解決するための手段】
【０００６】
上記課題は、本発明にあっては、医療機器に関する問い合わせ先情報を記憶する問い合わせ先情報管理装置と、前記問い合わせ先情報管理装置から前記問い合わせ先情報を取得し、前記医療機器又は前記医療機器を管理する医療機器管理装置に、当該問い合わせ先情報を提供する移動通信手段と、を有し、前記医療機器又は前記医療機器管理装置は、前記移動通信手段の前記問い合わせ先情報を自己の前記問い合わせ先情報として管理するか否かを判断する問い合わせ先情報判断手段を有することを特徴とする問い合わせ先情報管理システムにより達成される。
【０００７】
前記構成によれば、医療機器に関する問い合わせ先情報を記憶する問い合わせ先情報管理装置と、問い合わせ先情報管理装置から問い合わせ先情報を取得し、医療機器又は医療機器を管理する医療機器管理装置に、当該問い合わせ先情報を提供する移動通信手段と、を有している。
したがって、移動通信手段を用いることで、容易且つ迅速に、当該医療機器又は当該医療機器管理装置の問い合わせ先情報を更新等することができる。
【０００８】
また、前記構成では、医療機器又は医療機器管理装置は、移動通信手段の問い合わせ先情報を自己の問い合わせ先情報として管理するか否かを判断する問い合わせ先情報判断手段を有する。
このため、移動通信手段が有する問い合わせ先情報の適否を判断することができ、間違った情報に置き換えられることを未然に防ぐことができる。
【０００９】
好ましくは、前記問い合わせ先情報は、前記医療機器又は前記医療機器管理装置の識別情報及び更新時期情報を有し、前記問い合わせ先情報判断手段は、前記移動通信手段の前記問い合わせ先情報の前記識別情報により、前記問い合わせ先情報が、当該前記医療機器又は前記医療機器管理装置の情報であるか否かを判断すると共に、前記更新時期情報に基づき、当該前記問い合わせ先情報が最新の自己の前記問い合わせ先情報であるか否かを判断することを特徴とする問い合わせ先情報管理システムである。
【００１０】
前記構成によれば、問い合わせ先情報判断手段は、移動通信手段の問い合わせ先情報の識別情報により、問い合わせ先情報が、当該医療機器又は当該医療機器管理装置の情報であるか否かを判断すると共に、更新時期情報に基づき、当該問い合わせ先情報が最新の前自己の前記問い合わせ先情報であるか否かを判断する構成となっている。
したがって、問い合わせ先情報の識別情報により、自己の問い合わせ先情報であるか否かを的確に判断することができ、更新時期情報に基づき、当該問い合わせ先情報が最新の自己の前記問い合わせ先情報であるか否かを容易に判断することができる。
【００１１】
好ましくは、前記問い合わせ先情報は、問い合わせ先の電話番号情報及びメールアドレス情報を有し、これらの情報が、前記医療機器又は前記医療機器管理装置の表示部に表示されたときに、リンクが形成される構成となっていることを特徴とする問い合わせ先情報管理システムである。
【００１２】
前記構成によれば、問い合わせ先情報は、問い合わせ先の電話番号情報及びメールアドレス情報を有し、これらの情報が、医療機器又は医療機器管理装置の表示部に表示されたときに、リンクが形成される構成となっているので、利用者は、問い合わせ先に迅速且つ簡易に連絡をすることができる。
【００１３】
好ましくは、前記移動通信手段が、非接触ＩＣカードでなることを特徴とする問い合わせ先情報管理システムである。
【００１４】
前記構成によれば、移動通信手段が、非接触ＩＣカードでなるので、問い合わせ先情報管理装置及び医療機器又は医療機器管理装置は、非接触ＩＣカードのデータ送受信装置を備えることで，簡易且つ迅速に問い合わせ先情報の送受信をすることができる。
【００１５】
好ましくは、  前記表示部は、タッチパネルであり、表示画面のいずれの箇所に押下されても、前記問い合わせ先情報を表示するヘルプ画面を最優先で表示するように制御されることを特徴とする問い合わせ先情報管理システムである。
【００１６】
前記課題は、本発明によれば、医療機器に関する問い合わせ先情報を記憶する問い合わせ先情報管理装置と、前記問い合わせ先情報管理装置から前記問い合わせ先情報を取得し、前記医療機器又は前記医療機器を管理する医療機器管理装置に、当該問い合わせ先情報を提供する移動通信手段と、を有し、前記医療機器又は前記医療機器管理装置の問い合わせ先情報判断手段が、前記移動通信手段の前記問い合わせ先情報を自己の前記問い合わせ先情報として管理するか否かを判断する構成となっていることを特徴とする問い合わせ先情報管理方法により達成される。
【発明の効果】
【００１７】
以上説明したように、本発明によれば、医療機器又はその管理装置等に記憶される問い合わせ先情報を迅速且つ簡易に更新等することができる問い合わせ先情報管理システム及び問い合わせ先情報管理方法を提供することができる。
【図面の簡単な説明】
【００１８】
【図１】本発明の実施の形態にかかる問い合わせ先管理システムを示す概略図である。
【図２】人工心肺システム管理装置側ディスプレイに示された「ヘルプ」画面例を示す概略図である。
【図３】図１の医療機器管理装置，非接触ＩＣカード及び人工心肺システム管理装置等の主な構成を示す概略ブロック図である。
【図４】問い合わせ先管理システムの主な動作等を示す概略フローチャートである。
【図５】問い合わせ先管理システムの主な動作等を示す他の概略フローチャートである。
【図６】この非接触ＩＣカードに記憶される問い合わせ先情報である例えば、問い合わせ先データ例である。
【発明を実施するための形態】
【００１９】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
図１は、本発明の実施の形態にかかる問い合わせ先管理システム１を示す概略図である。
本実施の形態に係る問い合わせ先管理システム１は、ある病院に、医療機器のシステムとして、人工心肺システムを納入した医療機器会社の担当者が問い合わせ先となった例を示している。
ここで、先ず、図１に示す人工心肺システムについて説明する。人工心肺システムは、図１に示すように、手術室における患者のベッド近傍に配置され、主に心臓を止めて体外循環を行う心臓手術や大血管手術の時に使用される複数の医療機器等で構成される。
【００２１】
人工心肺システムは、各病院毎にカスタマイズされるが、例えば、図１に示すガス交換を行う人工肺２、心臓ポンプ機能の代わりに血液を循環させる、例えば、４つのローラポンプ３ａ乃至３ｄ及び遠心ポンプ４を有している。
また、人工心肺システムは、人工心肺システムの各要素を接続する血液回路５、血液回路５に接続され手術中の患者の血液中の成分を表示する血液ガスモニタ６ａ、６ｂ、血液を濾過濃縮する血液濃縮器７や心筋保護液装置８なども有している。
そして、これらの機器を管理するため、人工心肺システムは、図１に示すように、ハブ９を介して、医療機器管理装置である例えば、人工心肺システム管理装置１０を有している。
この人工心肺システム管理装置１０は、具体的には、そのシステムを構成する医療機器から以下のようなデータを取得している。
例えば、流量，回転数等の医療機器の情報、心筋保護液温度、タイマ、アラーム情報、手術中の患者の生体情報である、動脈圧、静脈圧、動脈温度、静脈温度、血中のｐＨ、ＰＣＯ２、ＰＯ２、ＢＥ、ＨＣＯ３、Ｋ、Ｈｃｔ、Ｈｂ、血液温度等である。
【００２２】
このように、人工心肺システム管理装置１０は、図１に示す各機器のアラーム情報を監視等しているため、構成する機器等に異常があった場合は、その旨、表示部である例えば、人工心肺システム管理装置側ディスプレイ（表示部）１１に表示される構成となっている。
そして、かかる異常が操作者の手に負えず、本システムを納入した医療機器会社の担当者に問い合わせる必要があるときは、この人工心肺システム管理装置側ディスプレイ１１に、ヘルプ画面を表示させることができる構成となっている。
【００２３】
図２は、人工心肺システム管理装置側ディスプレイ１１に示された「ヘルプ」画面例を示す概略図である。
図２に示すように、「ヘルプ」画面には、問い合わせ先情報が示されている。図２の内容については後で詳述する。
【００２４】
このように、人工心肺システムは、乳幼児・小児から大人まで、心臓手術や大血管手術の時に使用されるため、その動作に異常等があった場合は、重大な結果を招くおそれがあり、また、このようなシステムを組むときは、医療機器会社の担当者が、各病院の体外循環技師等と相談しながら、各病院毎にカスタマイズし、その当該病院で、その当該手術に対して、異なる最適な構成としている。
したがって、かかる最適な構成については、医療機器会社がかなり関わっているため、人工心肺システムに異常が生じたときは、いち早く医療機器会社の担当者に連絡を取ることが重要となっている。
【００２５】
さて、人工心肺システム管理装置１０には、図１に示すように、非接触ＩＣカードデータ読取装置１２を備えている。すなわち、図１に示す移動通信手段である例えば、非接触ＩＣカード４０を、この非接触ＩＣカードデータ読取装置１２に近づけることによって、非接触ＩＣカードデータ読取装置１２は、非接触ＩＣカード４０に記憶されているデータを読み取り、取得することができる構成と成っている。非接触ＩＣカードデータ読取装置１２は、人工心肺システム管理装置１０の適所に内蔵させ、内蔵された位置と対応した外部に載置部を設け、載置されたと判断部で判断されると、非接触ＩＣカード４０に記憶されているデータを読み取り、取得するようにしてもよい。こうすることで操作が簡単になるとともに、人工心肺システム管理装置１０の外観がスマートになる。
【００２６】
また、図１の問い合わせ先管理システム１は、図１に示すように、人工心肺システムを納入した医療機器会社に配置されている、問い合わせ先情報管理装置である例えば、医療機器会社の管理装置６０を有している。
この医療機器会社の管理装置６０は、各病院等に納入した人工心肺システム等の各担当者等に関する情報が記憶されている。
また、この医療機器会社の管理装置６０は、非接触ＩＣカード通信装置６１を有している。このため、例えば、医療機器会社の担当者が自己の非接触ＩＣカード４０を、この非接触ＩＣカード通信装置６１に近づけることで、自己の最新のデータを、自己の非接触ＩＣカード４０に取り込むことができる構成となっている。非接触ＩＣカード通信装置６１は、医療機器会社の管理装置６０の適所に内蔵させ、内蔵された位置と対応した外部に載置部を設け、載置されたと判断部で判断されると、非接触ＩＣカード４０に記憶されているデータを読み取り、取得するようにしてもよい。こうすることで操作が簡単になるとともに、医療機器会社の管理装置６０の外観がスマートになる。
【００２７】
図１の医療機器会社の管理装置６０、非接触ＩＣカード４０及び人工心肺システム管理装置１０等は、コンピュータ等を有し情報を制御等している。
このコンピュータは、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、例えばバス等を介して配置されている。
このバスは、すべてのデバイスを接続する機能を有し、アドレスやデータパスを有する内部パスである。ＣＰＵは所定のプログラムの処理や判断を行う他、バスに接続されたＲＯＭ等を制御している。ＲＯＭは、各種プログラムや各種情報等を格納している。ＲＡＭは、プログラム処理中のメモリの内容を対比したり、プログラムを実行するためのエリアとしての機能を有する。
【００２８】
図３は、図１の医療機器会社の管理装置６０，非接触ＩＣカード４０及び人工心肺システム管理装置１０等の主な構成を示す概略ブロック図である。
図３に示すように、人工心肺システム管理装置１０は、人工心肺システム管理装置側制御部１３を有し、データ等を入力等するための人工心肺システム管理装置側入力装置１４、上述の非接触ＩＣカード読取装置１２や人工心肺システム管理装置側ディスプレイ１１等が、この人工心肺システム管理装置側制御部１３に接続されている。
【００２９】
また、図３に示すように、医療機器会社の管理装置６０は、会社管理装置側制御部６２を有し、データ等を入力等するための会社管理装置側入力装置６３及び会社管理装置側ディスプレイ６４や上述の非接触ＩＣカード通信装置６１等が、会社管理装置側制御部６２と接続されている。
【００３０】
また、移動通信手段としての非接触ＩＣカード４０は、カード側制御部４１を有し、図１の非接触ＩＣカード通信装置６１や非接触ＩＣカード読取装置１２と電磁誘導で通信可能なカード側通信装置４２が、カード側制御部４１と接続されている。なお、図３のプログラム及び記憶部等については、後で詳述する。
【００３１】
図４及び図５は、問い合わせ先管理システム１の主な動作等を示す概略フローチャートである。以下、図４及び図５のフローチャートに沿って問い合わせ先管理システム１の動作等を説明すると共に、図１乃至図３等の構成等も併せて説明する。
先ず、医療機器会社の担当者は、それぞれ図１に示すような非接触ＩＣカード４０を所持しており、図６は、この非接触ＩＣカード４０に記憶される問い合わせ先情報である例えば、問い合わせ先データ例である。
【００３２】
図６に示すように、問い合わせ先データとしては、有効期限、更新日、会社名、支店名、担当職種、担当者名、担当者ＩＤ番号、支店所在地、携帯電話番号、メールアドレス、担当人工心肺システム管理装置１０の識別番号等が、医療機器会社の管理装置６０の非接触ＩＣカード通信装置６１または不図示の入力装置から非接触ＩＣカード４０のカードデータ記憶部４３に書き込まれ、記憶できるようになっている。
このデータは、図３のカードデータ記憶部４３に記憶される構成となっている。
【００３３】
非接触ＩＣカード４０に登録されるべき具体的なデータは、図３の医療機器会社の管理装置６０の担当者別データベース６５に蓄積されている。すなわち、この担当者別データベース６５には、例えば、担当者ＩＤ番号毎に各担当者の図６に示すデータが蓄積されている。
【００３４】
具体的には、図４に示す非接触ＩＣカード事前登録工程に沿って、必要なデータがこの非接触ＩＣカード４０に登録される。以下、詳細に説明する。
先ず、ＳＴ１に示すように、医療機器会社の担当者は、自己の非接触ＩＣカード４０を，図１の非接触ＩＣカード通信装置６１にかざす。すると、図３のカード側通信装置４２と非接触ＩＣカード通信装置６１との間で通信が開始され、医療機器会社の管理装置６０は、非接触ＩＣカード４０のカードデータ記憶部４３に記憶されているデータを取得する。
具体的には、図３のカードデータ取得部（プログラム）６６が動作して取得する。
【００３５】
次いで、ＳＴ２へ進む。ＳＴ２では、当該非接触ＩＣカード４０が、既にデータを登録済みカードか否かを判断する。具体的には、図３の登録有無判断部（プログラム）６７が動作し、非接触ＩＣカード４０のカードデータ記憶部４３に、図６に示す各データが登録されているか否かを判断する。
ＳＴ２で、図６に示す各データが登録されていない場合は、ＳＴ３へ進む。
ＳＴ３では、カードデータ記憶部４３に図６の担当者ＩＤ番号の記録があるか否かを判断し、この記録がある場合は、正規の非接触ＩＣカード４０であると判断して、ＳＴ４へ進む。
ＳＴ４では、医療機器会社の管理装置６０が担当者別データベース６５を参照して、同一番号の担当者ＩＤ番号を探し、当該番号の図６に示す問い合わせ先データを非接触ＩＣカード４０のカードデータ記憶部４３に記憶する。
【００３６】
一方、ＳＴ２で、既登録の非接触ＩＣカード４０であると判断されたときは、ＳＴ５へ進む。この場合は、既に、図６に示す問い合わせ先の各データは、非接触ＩＣカード４０に登録済みであるから、当該データが古いデータであるか否かを判断する。
具体的には、図３の有効期限判断部（プログラム）６８が動作して、非接触ＩＣカード４０のカードデータ記憶部４３の図６に示す「有効期限」の欄を参照する。
そして、当該年月日が有効期限内でない場合、すなわち、有効期限を越えている場合は、既にデータが古いと判断して、ＳＴ６へ進む。
【００３７】
ＳＴ６では、医療機器会社の管理装置６０の担当者別データベース６５内の問い合わせ先データを非接触ＩＣカード通信装置６１から非接触ＩＣカード４０のカードデータ記憶部４３に上書きする。
以上で、非接触ＩＣカード４０事前登録工程が終了し、医療機器会社の担当者は、最新の問い合わせ先データが登録されている自己の非接触ＩＣカード４０を所持することができる。
【００３８】
次いで、図５のフローチャートを用いて、人工心肺システム管理装置１０の問い合わせ先データを更新等する工程について説明する。
或る病院等に納入されている図１に示す人工心肺システムの医療機器の担当者が変更になった場合は、新担当者は、最新の問い合わせ先データが登録されている自己の非接触ＩＣカード４０を持参して、病院を訪問する。病院の人工心肺システムの管理者に、その旨を告げると、同管理者は、ＳＴ１１に示すように、人工心肺システム管理装置１０の表示部１１の画面を図２の「ヘルプ」画面に切り替え、図１及び図３の非接触ＩＣカード読取装置１２を「ＯＮ」とする。
図２では、「ヘルプ」画面において、有効期限、更新日、会社名、支店名、担当職種、担当者名、担当者ＩＤ番号、支店所在地、携帯電話番号、メールアドレス、担当人工心肺システム管理装置の識別番号が表示される。
【００３９】
次に、ＳＴ１２へ進み、医療機器会社の新担当者が、自己の非接触ＩＣカード４０を非接触ＩＣカード読取装置１２にかざし、通信を開始する。すると、この非接触ＩＣカード読取装置１２が、非接触ＩＣカード４０内のカードデータ記憶部４３に記憶されている図６の問い合わせ先データを取得し、図３の非接触ＩＣカードデータ一時記憶部１５に記憶される。
具体的には、図３の非接触ＩＣカードデータ取得部（プログラム）１６が動作して実行される。
【００４０】
次いで、ＳＴ１３に進む。ＳＴ１３では、ＳＴ１２で取得した問い合わせ先データのうち、図６に示す「担当人工心肺システム管理装置の識別番号」を参照し、当該識別番号に、人工心肺システム管理装置１０の識別番号が記録されているか否か判断する。
すなわち、当該非接触ＩＣカード４０の所持者が、人工心肺システム管理装置１０の担当者であるか否かを判断する。
具体的には、図３の識別番号判断部（プログラム）１７が動作して判断する。
【００４１】
このように、図６の「担当人工心肺システム管理装置の識別番号」が、医療機器又は医療機器管理装置の識別情報の一例であり、識別番号判断部（プログラム）１７が、問い合わせ先情報判断手段の一例である。
【００４２】
ＳＴ１３で、非接触ＩＣカード４０が、人工心肺システム管理装置１０の識別番号を有している場合は、ＳＴ１４へ進む。ＳＴ１４では、非接触ＩＣカード４０に記憶されていた図６に示す「有効期限」を参照し、現在の年月日と比較して、非接触ＩＣカード４０に記憶されているデータが有効か否かを判断する。
具体的には、図３の有効期限判断部（プログラム）１８が動作して判断する。
【００４３】
ＳＴ１４で、非接触ＩＣカード４０の問い合わせ先データが有効期限内であると判断されると、ＳＴ１５へ進む。
ＳＴ１５では、図３の非接触ＩＣカードデータ一時記憶部１５内の問い合わせ先データの図６の更新時期情報である例えば、「更新日」データを参照する。
すなわち、図３の人工心肺システム管理装置１０の問い合わせ先データ記憶部１９には、例えば、従前に登録した図６に示すような問い合わせ先データが登録されている。
そこで、この既に登録されている問い合わせ先データより、この非接触ＩＣカード４０に登録されている問い合わせ先データの方が新しいか否かを判断する。
【００４４】
具体的には、図３の更新時期判断部（プログラム）２０が動作し、両者の図６の「更新日」を比較し、この非接触ＩＣカード４０に登録されている問い合わせ先データの「更新日」が、既に登録されている問い合わせ先データの「更新日」より新しい場合は、最新のデータとして判断する。
このため、更新時期判断部（プログラム）２０は、問い合わせ先情報判断手段の一例である。
【００４５】
そして、ＳＴ１５で、非接触ＩＣカード４０に記憶されている問い合わせ先データが、既登録の問い合わせ先データより新しいと判断された場合は、ＳＴ１６へ進む。ＳＴ１６では、図３のデータ更新部（プログラム）２１が動作して、非接触ＩＣカードデータ一時記憶部１５に記憶されている問い合わせ先データが、問い合わせ先データ記憶１９内のデータと置き換えられる。
これにより、人工心肺システム管理装置１０内に登録されている医療機器会社の担当者の問い合わせ先データは、最新となる。
このように本実施の形態によれば、医療機器会社の担当者がその非接触ＩＣカード４０を人工心肺システム管理装置１０の非接触ＩＣカード読取装置１２にかざし、通信するだけで、簡易且つ確実に、人工心肺システム管理装置１０内の問い合わせ先データが最新となるので、利用者にとって使い易いシステムとなっている。
【００４６】
また、本実施の形態では、人工心肺システム管理装置１０が、通信相手の非接触ＩＣカード４０内の問い合わせ先データを取り込むべきか否か判断するので、人工心肺システム管理装置１０は、誤った問い合わせ先データや古い問い合わせ先データ等を取得することがない。
【００４７】
ＳＴ１６で、図３の問い合わせ先データ記憶部１９内に最新の問い合わせ先データに置き換えられた後、ＳＴ１７へ進む。
ＳＴ１７では、新しく置き換えられた問い合わせ先データのうち、図２の携帯電話番号及びメールアドレスについては、リンクが張られており、この部分を画面上でクリックするだけで、当該医療機器会社の担当者に連絡することができる構成となっている。
したがって、迅速且つ簡易に連絡することが可能なシステムとなっている。
なお、表示部１１をタッチパネルとして、人工心肺システムを動作中に、医師等が対応できないトラブルが発生した場合に、表示部１１の表示画面のどこにタッチ（押下）されても、図２に示す問い合わせ先データ（情報）を表示する「ヘルプ」画面を最優先で表示するようにすることで、より迅速に問い合わせ先に確認し、コンタクトができるようになる。また、最優先で表示されたヘルプ画面で再度、表示画面（表示パネル）をタッチ（押下）すると、記憶部に記憶され、トラブルの頻度に応じて簡易に纏められたトラブルの対処方法を表示するようにしてもよい。
【００４８】
本発明は、上述の各実施の形態に限定されない。
【符号の説明】
【００４９】
１・・・問い合わせ先管理システム、２・・・人工肺、３ａ、３ｂ・・・ローラポンプ、４・・・遠心ポンプ、５・・・血液回路、６ａ、６ｂ・・・血液ガスモニタ、７・・・血液濃縮器、８・・・心筋保護液装置、９・・・ハブ、１０・・・人工心肺システム管理装置、１１・・・人工心肺システム管理装置側ディスプレイ、１２・・・非接触ＩＣカードデータ読取装置、１３・・・人工心肺システム管理装置側制御部、１４・・・人工心肺システム管理装置側入力装置、１５・・・非接触ＩＣカードデータ一時記憶部、１６・・・非接触ＩＣカードデータ取得部（プログラム）、１７・・・識別番号判断部（プログラム）、１８・・・有効期限判断部（プログラム）、１９・・・問い合わせ先データ記憶部、２０・・・更新時期判断部（プログラム）、２１・・・データ更新部（プログラム）、４０・・・非接触ＩＣカード、４１・・・カード側制御部、４２・・・カード側通信装置、４３・・・カードデータ記憶部、６０・・・医療機器会社の管理装置、６１・・・非接触ＩＣカード通信装置、６２・・・会社管理装置側制御部、６３・・・会社管理装置側入力装置、６４・・・会社管理装置側ディスプレイ、６５・・・担当者別データベース、６６・・・カードデータ取得部（プログラム）、６７・・・登録有無判断部（プログラム）、６８・・・有効期限判断部（プログラム）
【図１】
2011221963.tif 000003
【図２】
2011221963.tif 000004
【図３】
2011221963.tif 000005
【図４】
2011221963.tif 000006
【図５】
2011221963.tif 000007
【図６】
2011221963.tif 000008